(57)【要約】【課題】パソコンを使用しないときにはディスプレイを収納して天板上面を広く使用できるとともに、パソコンを使用するときにはディスプレイを直ちに使用状態にすることができるばかりでなく、ディスプレイより前方のスペースを有効に使用でき、更に外観的にも優れたパソコン用デスクを提供する。【解決手段】天板１の後部寄り位置に開口部８を形成し、開口部と同形の蓋板２の後端を開口部の後縁に上下回動可能に枢着するとともに、蓋板を立起状態に保持するストッパー手段４を備え、蓋板が立起状態において、その前面に取付けたフラットディスプレイ３をパソコンのモニターとして利用可能とするとともに、残余の開口部を着脱可能な閉塞板７で閉塞してなる。【選択図】　　　　図８
2004038397.tif 000002
【特許請求の範囲】
【請求項１】
天板の後部寄り位置に開口部を形成し、該開口部と同形の蓋板の後端を該開口部の後縁に上下回動可能に枢着するとともに、該蓋板を立起状態に保持するストッパー手段を備え、該蓋板が立起状態において、その前面に取付けたフラットディスプレイをパソコンのモニターとして利用可能とするとともに、残余の開口部を着脱可能な閉塞板で閉塞してなることを特徴とするパソコン用デスク。
【請求項２】
前記天板の開口部の下方に、キーボードと前記フラットディスプレイの収納空間部を設け、該収納空間部の底部に前記キーボードを収納し、前記蓋板にフラットディスプレイを取付けたまま該蓋板を閉じることで、該フラットディスプレイを収納空間部に収納してなる請求項１記載のパソコン用デスク。
【請求項３】
前記天板の下方で、前記フラットディスプレイを収納する収納空間部の底部に、前記閉塞板を格納する格納部を設けてなる請求項１又は２記載のパソコン用デスク。
【請求項４】
前記天板下方に吊下げ状にボックス体を設けて前記収納空間部を形成するとともに、該ボックス体の下面に前方から前記閉塞板を挿脱可能な格納部を形成してなる請求項３記載のパソコン用デスク。
【発明の詳細な説明】
【０００１】
【発明の属する技術分野】
本発明は、パソコン用デスクに係わり、更に詳しくはパソコンで使用するモニター機能を備えたパソコン用デスクに関するものである。
【０００２】
【従来の技術】
従来から、パソコン等の電子情報機器の使用に適したＯＡデスクは各種提供されている。例えば、天板の後縁に沿って配線ダクトを設けたものや、天板の一部からディスプレイが上昇するものや、ディスプレイはパソコン本体を載置する天板後部とキーボードを載置する天板前部が階段状になっているもの等、種々の構造のものが提供されている。ここで、ディスプレイを天板上に載置して天板の上面のスペースを占有すると、パソコンを使用しないときには天板が非常に狭く、使用勝手が悪い。
【０００３】
そこで、特開平１−１３４６１４号公報には、天板の前部を前方開放状態に切欠し、該切欠部に回動板の後端を上下回動可能に枢着し、該回動板の裏面側にパネル状ディスプレイを固定し、該回動板にパネル状ディスプレイを固定したまま該回動板を閉じて天板と面一にできる構造のパソコン用デスクも提供されている。ここで、前記回動板を設けた部分に前記天板に対して段落ちした状態で補助板を設け、前記蓋板を立起状態に開いた状態で、前記補助板にキーボードを載置して使用できるようにしている。また、天板の後部には、前記補助板が延設されてパソコン本体を格納できるようにしている。つまり、デスクにパソコンを組み込んだ構造となっており、前記回動板を開くことによってパソコンを使用できる状態となり、あたかもディスプレイが開閉蓋となっているノートパソコンのような形態となっている。
【０００４】
しかし、この公報記載のデスクでは、回動板を立起させてディスプレイを使用状態にしたときに、そのままキーボードを使用できるといった利点はあるものの、該回動板で閉じられていた空間がむき出しになり、天板との間で大きな段差が生じるので、書類や筆記具等は遠く離れた天板上に置くことになり、非常に不便であるばかりでなく、外観性においても悪い印象を与えるものである。
【０００５】
【発明が解決しようとする課題】
本発明が前述の状況に鑑み、解決しようとするところは、パソコンを使用しないときにはディスプレイを収納して天板上面を広く使用できるとともに、パソコンを使用するときにはディスプレイを直ちに使用状態にすることができるばかりでなく、ディスプレイより前方のスペースを有効に使用でき、更に外観的にも優れたパソコン用デスクを提供する点にある。
【０００６】
【課題を解決するための手段】
本発明は、前述の課題解決のために、天板の後部寄り位置に開口部を形成し、該開口部と同形の蓋板の後端を該開口部の後縁に上下回動可能に枢着するとともに、該蓋板を立起状態に保持するストッパー手段を備え、該蓋板が立起状態において、その前面に取付けたフラットディスプレイをパソコンのモニターとして利用可能とするとともに、残余の開口部を着脱可能な閉塞板で閉塞してなるパソコン用デスクを構成した。
【０００７】
また、前記天板の開口部の下方に、キーボードと前記フラットディスプレイの収納空間部を設け、該収納空間部の底部に前記キーボードを収納し、前記蓋板にフラットディスプレイを取付けたまま該蓋板を閉じることで、該フラットディスプレイを収納空間部に収納してなることが好ましい。
【０００８】
更に、前記天板の下方で、前記フラットディスプレイを収納する収納空間部の底部に、前記閉塞板を格納する格納部を設けてなることがより好ましい。
【０００９】
具体的には、前記天板下方に吊下げ状にボックス体を設けて前記収納空間部を形成するとともに、該ボックス体の下面に前方から前記閉塞板を挿脱可能な格納部を形成してなるのである。
【００１０】
【発明の実施の形態】
次に本発明の実施の形態を添付図面に基づき更に詳細に説明する。図１〜図３は本発明に係るパソコン用デスクを示し、図４〜図８はその要部を示している。図中符号１は天板、２は蓋板、３はフラットディスプレイ、４はストッパー手段、５はキーボード、６は収納空間部、７は閉塞板をそれぞれ示している。
【００１１】
本発明に係るパソコン用デスクは、天板１の後部寄り位置に開口部８を形成し、該開口部８と同形の蓋板２の後端を該開口部８の後縁に上下回動可能に枢着するとともに、該蓋板２を立起状態に保持するストッパー手段４を備え、該蓋板２が立起状態において、その前面に取付けたフラットディスプレイ３をパソコンのモニターとして利用可能とするとともに、残余の開口部８を着脱可能な閉塞板７で閉塞してなるものである。
【００１２】
ここで、前記天板１の開口部８の下方に、キーボード５と前記フラットディスプレイ３の収納空間部６を設け、該収納空間部６の底部に前記キーボード５を収納し、前記蓋板２にフラットディスプレイ３を取付けたまま該蓋板２を閉じることで、該フラットディスプレイ３を収納空間部６に収納するようにしている。更に、前記天板１の下方で、前記フラットディスプレイ３を収納する収納空間部６の底部に、前記閉塞板７を格納する格納部９を設けている。具体的には、前記天板１の開口部８の下方に吊下げ状にボックス体１０を設けて前記収納空間部６を形成するとともに、該ボックス体１０の下面に前方から前記閉塞板７を挿脱可能な格納部９を形成している。
【００１３】
更に詳しくは、前記天板１の前部を余して後部に前記開口部８を形成し、該開口部８の周囲には段状の係合部１１を形成し、該係合部１１に前記蓋板２が嵌合し、前記天板１と上面が面一となるようにしている。前記蓋板２は、後端を前記開口部８の後縁に蝶番１２，１２にて上下回動可能に枢着されている。そして、前記天板１の下面で前記開口部８の両側に、金属板で折曲形成したボックス体１０の両側板１３，１３の上端を取付けるとともに、該ボックス体１０の底板１４の下方に、金属板で折曲形成した扁平で前後に開放した小ボックス体１５を取付けて前記底板１４との間に前記格納部９を形成している。
【００１４】
そして、前記蓋板２を立起状態に保持するストッパー手段４として、本実施形態では中央部で屈曲可能な二つのアーム１６，１６を有し、一方のアーム１６の端部を前記ボックス体１０の一方の側板１３の内面に枢着するとともに、他方のアーム１６の端部を立起状態における前記蓋板２の一側部前面に枢着し、両端の枢着点の延長線を中央部の枢着点が越えた位置でそれ以上の屈曲を規制した構造のものであり、市販品を利用できる。前記蓋板２を閉じた際には、前記ストッパー手段４の両アーム１６，１６が折り畳まれて前記収納空間部６内に位置する。
【００１５】
また、前記ストッパー手段４を設けた側とは反対側において、伸縮ダンパー１７の一端部を前記ボックス体１０の他方の側板１３の内面に枢着するとともに、伸縮ダンパー１７の他端部を立起状態における前記蓋板２の他側部前面に枢着し、前記蓋板２を閉じる際の急激な下動を規制している。尚、この伸縮ダンパー１７が伸びる方向に弾性付勢された構造のものであれば、閉止状態の蓋板２を立起させるときの動作を助けることになり、前記フラットディスプレイ３を取付けて重量が増した前記蓋板２の開閉動作がスムーズになる。
【００１６】
また、前記蓋板２を閉じた際には、該蓋板２の周囲が前記係合部１１に隙間なく係合するので、この状態から蓋板２を立起状態に起こすために、該蓋板２の遊端側の中央部に１８０度回転によって突出する把手１８を設けている。尚、この把手１８は、蓋板２を立起状態にしたときに、前記フラットディスプレイ３の背後に隠れる位置に設けることが好ましい。また、前記把手１８は、押すと出没を交互に繰り返す構造のものでも良い。
【００１７】
また、前記閉塞板７は、立起状態の前記蓋板２の前方の開口部８を塞ぐものであり、前記蓋板２と略同形の大きさで、両側後端部に前記ストッパー手段４のアーム１６と前記伸縮ダンパー１７を逃がすための切欠部１９，１９を形成している。この閉塞板７は、前記格納部９に前方から挿入して保管するが、前記蓋板２を立起状態にし、フラットディスプレイ３を使用できる状態にしたときに、格納部９から取り出して前記開口部８に装着して塞ぐものである。前記閉塞板７と天板１の上面とが面一となって、天板１の上面を広く使用でき、また前記収納空間部６から取り出したキーボード５を前記天板１の前部又は前記開口部８に装着した閉塞板７の上面に載置して使用する。尚、前記閉塞板７の前部には、前記把手１８と同様な把手を設けても良いが、本実施形態では単に開口７Ａを形成している。
【００１８】
ここで、前記キーボード５に接続されたケーブル２０は、前記一方の切欠部１９から前記収納空間部６の後部に導かれ、前記ボックス体１０の底板１４の後部に横設した仕切板２１で区画形成された配線ダクト２２に配線され、天板１の下方の適所に配置してパソコン本体２３に接続される。尚、前記配線ダクト２２からパソコン本体２３やその他の部分に配線できるように、前記ボックス体１０の両側板１３，１３の後端部は切欠して開放している。ここで、前記キーボード５は、前記仕切板２１より前方の底板１４に載置して前記収納空間部６に収納する。
【００１９】
本実施形態では、前記フラットディスプレイ３は、独立して天板等に載置して使用できる市販品であり、従って下部には脚部２４が一体的に設けられたものを用いている。そのため、前記蓋板２の下部に前記脚部２４を受ける小棚板２５を突設してあり、前記蓋板２を立起状態に保持した状態で、前記フラットディスプレイ３の脚部２４を小棚板２５に載置し、それから他の部分でフラットディスプレイ３を蓋板２に取付けるようにしている。尚、前記蓋板２を立起状態にし、開口部８に閉塞板７を装着した状態では、該閉塞板７の僅か上に前記小棚板２５が略平行に位置するようになるので、前記ストッパー手段４が不意に外れた場合でも、前記小棚板２５が閉塞板７の上面に当接して前倒れを完全に規制するので安全である。
【００２０】
また、本実施形態のパソコン用デスクは、二人仕様の横長のものであり、天板１の両側部に前記蓋板２，２をそれぞれ設け、その他の部材も同様に設けたものである。前記天板１の両端は脚板２６，２６で支持され、中央部に収納棚２７を設けて前記パソコン本体２３等を格納している。そして、一方の前記脚板２６と収納棚２７との間には、前後移動可能な台車２８を設け、プリンター２９を載置している。このプリンター２９は、前記台車２８を前方に引き出すことによりメンテナンスできるようになっており、押し込むと前記ボックス体１０の下方に格納される。
【００２１】
ここで、前記脚板２６，２６の前後端部には、キャスター３０，３０を設けている。また、中央部の収納棚２７に収納したパソコン本体２３等の重量を、前記天板１の両脚板２６，２６のみで支持するには強度不足であることもあるので、前記収納棚２７の下端にも支持部を設けている。具体的には、前記収納棚２７の下端前側にアジャスター３１，３１を設けるとともに、下端後側にキャスター３２，３２を設けている。前記アジャスター３１，３１を床から離すと、当該パソコン用デスクを移動させることができ、所定位置でアジャスター３１，３１を床に圧接して移動を規制するのである。
【００２２】
また、図３に示すように、デスクの背面には、両側部に固定幕板３３，３３と中央部に着脱可能な点検幕板３４を設け、各幕板には放熱用の孔３５，…が多数開口されている。また、前記点検幕板３４の上端と天板１の下面との間には、コード挿通開口３６を形成している。そして、前記点検幕板３４の上端部の把手３７を持って外すと、前記パソコン本体２３を収納棚２７に収納したまま、その背面への配線作業を行うことができる。
【００２３】
また、図９は他の実施形態を示し、前記ボックス体１０と小ボックス体１５を一体化し、前記ボックス体１０の底部に前記閉塞板７を格納する格納部９を設けたものである。この場合、前記格納部９の底部に閉塞板７を載置し、その上に前記キーボード５を重ねて載置するのである。また、前記蓋体２の把手１８として単に開口を設けたものを示している。
【００２４】
【発明の効果】
以上にしてなる請求項１に係る発明のパソコン用デスクは、天板の後部寄り位置に開口部を形成し、該開口部と同形の蓋板の後端を該開口部の後縁に上下回動可能に枢着するとともに、該蓋板を立起状態に保持するストッパー手段を備え、該蓋板が立起状態において、その前面に取付けたフラットディスプレイをパソコンのモニターとして利用可能とするとともに、残余の開口部を着脱可能な閉塞板で閉塞してなるので、パソコンを使用しないときにはディスプレイを収納して天板上面を広く使用できるとともに、パソコンを使用するときにはディスプレイを直ちに使用状態にすることができるばかりでなく、ディスプレイより前方のスペースを有効に使用でき、更に外観的にも優れたものとなる。
【００２５】
請求項２によれば、キーボードを収納空間部の底部に収納し、蓋板にフラットディスプレイを取付けたまま該蓋板を閉じることで、該フラットディスプレイを収納空間部に収納するので、パソコンを使用しないときには天板上面を広く使用することができる。
【００２６】
請求項３又は４によれば、フラットディスプレイを使用しないときには、閉塞板も使用しないので、該閉塞板を格納部に格納しておくことができ、また蓋板を立起状態に回動引出して使用する際に、格納部から閉塞板を容易に取り出して、開口部を塞ぐことができる。
【図面の簡単な説明】
【図１】本発明に係るパソコン用デスクの使用状態における正面図である。
【図２】同じく蓋板を閉じた不使用状態における平面図である。
【図３】同じくパソコン用デスクの背面図である。
【図４】図２の要部の拡大平面図である。
【図５】同じく蓋板を閉じた不使用状態における部分縦断正面図である。
【図６】同じく蓋板を閉じた不使用状態における部分縦断側面図である。
【図７】蓋板を立起した使用状態における部分縦断側面図である。
【図８】同じく蓋板を立起した使用状態における部分斜視図である。
【図９】他の実施形態を示す蓋板を閉じた不使用状態における部分縦断正面図である。
【符号の説明】
１　天板　　　　　　　　　２　蓋板
３　フラットディスプレイ　４　ストッパー手段
５　キーボード　　　　　　６　収納空間部
７　閉塞板　　　　　　　　８　開口部
９　格納部　　　　　　　　１０　ボックス体
１１　係合部　　　　　　　１２　蝶番
１３　側板　　　　　　　　１４　底板
１５　小ボックス体　　　　１６　アーム
１７　伸縮ダンパー　　　　１８　把手
１９　切欠部　　　　　　　２０　ケーブル
２１　仕切板　　　　　　　２２　配線ダクト
２３　パソコン本体　　　　２４　脚部
２５　小棚板　　　　　　　２６　脚板
２７　収納棚　　　　　　　２８　台車
２９　プリンター　　　　　３０　キャスター
３１　アジャスター　　　　３２　キャスター
３３　固定幕板　　　　　　３４　点検幕板
３５　孔　　　　　　　　　３６　コード挿通開口
３７　把手
【図１】
2004038397.tif 000003
【図２】
2004038397.tif 000004
【図３】
2004038397.tif 000005
【図４】
2004038397.tif 000006
【図５】
2004038397.tif 000007
【図６】
2004038397.tif 000008
【図７】
2004038397.tif 000009
【図８】
2004038397.tif 000010
【図９】
2004038397.tif 000011